(57)【特許請求の範囲】
【請求項１】
第１の流通口を有した有底筒状のケースと、第２の流通口を有したケースの開口面に配設される蓋と、ケースと蓋との内部に配設される活性炭層とを備え、第１の流通口又は第２の流通口の何れか一方から油を流入して活性炭層を通過させ他方から流出させる浄油器フィルターにおいて、前記ケース及び蓋を天然植物繊維により形成し、ケース及び蓋の間に少なくとも化学繊維により形成された接合部材を介在するとともに、超音波振動により生じる接合部材の融着成分によりケース及び蓋を接合したものであり、前記蓋の内面に、天然植物繊維と化学繊維との混合繊維により形成されたフィルターを配設して、該フィルターにケースと蓋とに挟持される部分を形成し、該挟持される部分を前記接合部材としたことを特徴とする浄油器フィルター。
【請求項２】
前記フィルターを、ケースと蓋とに挟持される部分から外方に突出するよう形成したことを特徴とする請求項１記載の浄油器フィルター。
【請求項３】
第１の流通口を有した有底筒状のケースと、第２の流通口を有したケースの開口面に配設される蓋と、ケースと蓋との内部に配設される活性炭層とを備え、第１の流通口又は第２の流通口の何れか一方から油を流入して活性炭層を通過させ他方から流出させる浄油器フィルターにおいて、前記ケース及び蓋を天然植物繊維により形成し、ケース及び蓋の間に少なくとも化学繊維により形成された接合部材を介在するとともに、超音波振動により生じる接合部材の融着成分によりケース及び蓋を接合したものであり、前記ケースの内面に、天然植物繊維と化学繊維との混合繊維により形成されたフィルターを配設し、該フィルターを、超音波振動により生じる融着成分よりケースの内面に接合したことを特徴とする浄油器フィルター。
【発明の詳細な説明】
【０００１】
【産業上の利用分野】
本発明は、使用済み又は使用途上にある汚濁したてんぷら油等の食用油やその他の油の脱色、脱臭等を行う浄油器フィルターに関するものである。
【０００２】
【従来の技術】
この種の従来の浄油器フィルターとして、例えば、特開昭６１−２５９７１９号公報に開示されるものがある。この浄油器フィルターは、図８に示すように、底部に油の流出口となる複数個の流通口11a を有した有底筒状の金属製のケース11と、油の流入口となる複数個の流通口12a を有した金属製の蓋12とにより活性炭層13を内包し、この活性炭層13の上側に化学繊維系不織布フィルター14を配設し、活性炭層13の下側に化学繊維系不織布フィルター14を配設している。蓋12及びフィルター14は、ケース11の開口端のカーリングによるカシメにて固定されており、フィルター15も、ケース11の底部にカシメにて固定されている。
【０００３】
【発明が解決しようとする課題】
しかしながら、前述した浄油器フィルターは、活性炭層13を内包するためのケース11及び蓋12が金属製であるため、使用後に可燃物としての処理ができなかった。また、この浄油器フィルターは、フィルター14,15 に化学繊維系のものを使用しているために耐熱温度が低く、化学繊維系不織布は一般に単繊維が太く長いために目が粗くなって油中の粒子の捕捉が不完全なものとなると同時に浄油器フィルター運搬時の振動衝撃等により活性炭粉末が漏洩する恐れがあった。
【０００４】
本発明は、このような点に鑑みなされたものであり、その目的とするところは、可燃物としての処理が可能であり高性能の浄油器フィルターを提供することにある。
【０００５】
【課題を解決するための手段】
前記目的を達成するために、請求項１記載の浄油器フィルターは、第１の流通口を有した有底筒状のケースと、第２の流通口を有したケースの開口面に配設される蓋と、ケースと蓋との内部に配設される活性炭層とを備え、第１の流通口又は第２の流通口の何れか一方から油を流入して活性炭層を通過させ他方から流出させる浄油器フィルターにおいて、前記ケース及び蓋を天然植物繊維により形成し、ケース及び蓋の間に少なくとも化学繊維により形成された接合部材を介在するとともに、超音波振動により生じる接合部材の融着成分によりケース及び蓋を接合した構成としている。
【０００６】
また、請求項１記載の浄油器フィルターは、上記浄油器フィルターにおいて、蓋の内面に、天然植物繊維と化学繊維との混合繊維により形成されたフィルターを配設した構成としている。
【０００７】
また、請求項１記載の浄油器フィルターは、上記浄油器フィルターにおいて、フィルターにケースと蓋とに挟持される部分を形成し、該挟持される部分を前記接合部材とした構成としている。
【０００８】
また、請求項２記載の浄油器フィルターは、請求項１記載の浄油器フィルターにおいて、フィルターをケースと蓋とに挟持される部分から外方に突出するよう形成した構成としている。
【０００９】
また、請求項３記載の浄油器フィルターは、第１の流通口を有した有底筒状のケースと、第２の流通口を有したケースの開口面に配設される蓋と、ケースと蓋との内部に配設される活性炭層とを備え、第１の流通口又は第２の流通口の何れか一方から油を流入して活性炭層を通過させ他方から流出させる浄油器フィルターにおいて、前記ケース及び蓋を天然植物繊維により形成し、ケース及び蓋の間に少なくとも化学繊維により形成された接合部材を介在するとともに、超音波振動により生じる接合部材の融着成分によりケース及び蓋を接合したものであり、前記ケースの内面に、天然植物繊維と化学繊維との混合繊維により形成されたフィルターを配設した構成としている。
【００１０】
また、請求項３記載の浄油器フィルターは、上記浄油器フィルターにおいて、フィルターを、超音波振動により生じる融着成分よりケースの内面に接合した構成としている。
【００１１】
【作用】
請求項１記載の構成によれば、ケース及び蓋をそれぞれ天然植物繊維により形成したので使用後に可燃物として処理することができ、ケースと蓋とを超音波振動により生じる接合部材の融着成分により接合するので接着剤で接着するもののように食品の取り扱い上での有害な成分が溶出することがなく容易に接合することができる。
【００１２】
請求項１記載の構成によれば、フィルターの天然植物繊維と化学繊維との混合比率を操作することにより油の通過性を悪くすることなく微細な不純物粒子を捕捉することができ、目の細かい天然植物繊維により活性炭層の粉末の漏洩を防止することができる。
【００１３】
請求項１記載の構成によれば、フィルターが接合部材を兼ねるので、部品点数が削減され、価格の低減を図ることができる。
【００１４】
請求項２記載の構成によれば、貯油槽等の付属品をフィルタの突出部分を利用して装着することができる。
【００１５】
請求項３記載の構成によれば、ケース及び蓋をそれぞれ天然植物繊維により形成したので使用後に可燃物として処理することができ、ケースと蓋とを超音波振動により生じる接合部材の融着成分により接合するので接着剤で接着するもののように食品の取り扱い上での有害な成分が溶出することがなく容易に接合することができる。更に、フィルターの天然植物繊維と化学繊維との混合比率を操作することにより油の通過性を悪くすることなく微細な不純物粒子を補足することができ、目の細かい天然植物繊維により活性炭層の粉末の漏洩を防止することができる。
【００１６】
請求項３記載の構成によれば、フィルターのずれによる活性炭層の粉末の漏洩を防止することができる。
【００１７】
【実施例】
本発明の第１実施例を図１及び図２に基づいて説明する。なお、この第１実施例は、本発明の基本的構成を説明するための参考例となるものである。
【００１８】
本実施例の浄油器フィルターは、図１に示すように上下関係が決められており、底部に油の流出口となる複数個の第１の流通口1aを有し上部外周に環状の縁部1bを有した有底円筒状のケース1 と、油の流入口となる複数個の第２の流通口2aを有しケース1 の開口面に配設された蓋2 とにより外郭を構成している。
【００１９】
ケース1 及び蓋2 は、それぞれ天然植物繊維により形成されており、これらの内部には、下から順に天然植物繊維と化学繊維との混合繊維により形成された下フィルター3 、活性炭層4 、天然植物繊維と化学繊維との混合繊維により形成された上フィルター5 を配設して、縁部1bと蓋2 とにより上フィルター5 を挟持している。下フィルター3 及び上フィルター5 を形成する混合繊維のうち天然植物繊維は、化学繊維に比べて目の細かいものであるので、活性炭層4 の粉末の洗浄処理を行わなくても活性炭層4 の粉末がほとんど漏洩しないようになっている。また、化学繊維としては、ポリエステル繊維、ガラス繊維、活性炭繊維、炭素繊維、ボロン繊維、アラミド繊維、ケイ素繊維、アルミナ繊維等が用いられる。
【００２０】
ケース1 と蓋2 との接合は、化学繊維により大略環状に形成された接合部材6 を縁部1bと蓋2 とにより挟持した状態で超音波振動にて行われる。この超音波振動の接合のメカニズムとしては、縁部1bと接合部材6 との接触面及び蓋2 と接合部材6 との接触面を超音波振動により励振し、そのとき発生する摩擦熱により接合部材6 を溶融させ接合するものである。仮に、接合部材6 を用いずに超音波振動しても、ケース1 及び蓋2 の材質である天然植物繊維が炭化するのみで、ケース1 と蓋2 との接合は不可能となっている。
【００２１】
次に、本実施例の浄油器フィルターによる油の浄化について説明する。汚濁した油を第２の流通口2aから内部に流入すると、その油は、上フィルター5 を通過するとき不純物粒子が取り除かれ、活性炭層4 を通過するとき上フィルター5 で取り除かれなかった小さな不純物粒子が取り除かれ、下フィルター3 を通過して第１の流通口1aから流出される。この第１の流通口1aから流出した油は、きれいなものとなっている。
【００２２】
以上より、本実施例は、ケース1 及び蓋2 をそれぞれ天然植物繊維により形成したので、使用後に可燃物として処理することができる。
【００２３】
また、本実施例は、ケース1 と蓋2 とを超音波振動により生じる接合部材の融着成分により接合するので、有機系接着材等の食品衛生法上問題となるような媒体を使用することなく、また、接着材による塗布作業や縫製による作業のように煩雑な作業を必要とせず、容易に接合することができる。
【００２４】
また、本実施例は、下フィルター3 及び上フィルター5 が天然植物繊維と化学繊維との混合繊維により形成されているので、活性炭層4 の粉末の漏洩を防止することができ、その結果、活性炭層4 をケース1 及び蓋2 の内部に配設する前において、活性炭層4 の粉末の洗浄処理を不要にして生産性を向上することができ、価格の低減を図ることが可能となる。
【００２５】
なお、本実施例では、第１の流通口1aを油の流出口とし第２の流通口2aを油の流入口としたが、第１の流通口1aを油の流入口とし第２の流通口2aを油の流出口としてもよい。
【００２６】
次に、本発明の第２実施例を図３に基づいて説明する。なお、先の実施例と実質的に同様な機能を有する部材については、同一の符号を付して説明を省略する。
【００２７】
本実施例では、第１実施例の上フィルター5 を蓋2 の端面と略同一の大きさに形成し、この上フィルター5 が縁部1bと蓋2 とに挟持された状態でケース1 と蓋2 とを接合してある。このケース1 と蓋2 との接合は、超音波振動により上フィルター5 を形成している混合繊維のうち化学繊維を溶融させて行われる。
【００２８】
したがって、本実施例は、上フィルター5 が接合部材6 を兼ねることになるので、部品点数が削減されて、価格の低減を図ることができる。
【００２９】
次に、本発明の第３実施例を図４に基づいて説明する。なお、先の実施例と実質的に同様な機能を有する部材については、同一の符号を付して説明を省略する。
【００３０】
本実施例では、第２実施例の下フィルター3 を超音波振動によりケース1 に接合してある。この超音波振動による接合は、下フィルター3 を形成している混合繊維のうち化学繊維を溶融させて行われる。ここにおける超音波振動による接合部は、下フィルター3 の外周側すなわち図４において下フィルター3 の厚みが薄くなっている箇所である。
【００３１】
したがって、本実施例は、下フィルター3 が確実にケース1 に接合されるので、下フィルター3 のずれ等による活性炭層4 の粉末の漏洩を防止することができる。
【００３２】
次に、本発明の第４実施例を図５及び図６に基づいて説明する。なお、先の実施例と実質的に同様な機能を有する部材については、同一の符号を付して説明を省略する。
【００３３】
本実施例では、第３実施例の上フィルター5 を蓋2 の端面より大きく形成して、ケース1 と蓋2 との間から外方に一定量突出させてある。
【００３４】
7 は油を浄化するときに用いられる貯油槽であり、図６におけて断面が階段状となっている。この貯油槽7 は、浄油器フィルターに保持された状態で内部に汚濁した油を満たして油を第２の流通口2aに流入させるものである。貯油槽7 を浄油器フィルターに保持する場合、貯油槽7 の内面を上フィルター5 の周面に圧入することにより簡単に行われる。
【００３５】
したがって、本実施例は、貯油槽7 を簡単に保持することができるので、使い勝手の良いものである。
【００３６】
次に、本発明の第５実施例を図７に基づいて説明する。なお、先の実施例と実質的に同様な機能を有する部材については、同一の符号を付して説明を省略する。
【００３７】
本実施例では、第４実施例の蓋2 を活性炭層4 を押圧するよう凹状に形成してある。
【００３８】
したがって、本実施例は、蓋2 が上フィルター5 を介して活性炭層4 を押圧するので、活性炭層4 に空隙が発生するのを防止することができ、搬送時等に起こる振動により活性炭層4 が粉砕されて漏洩するのを防止することができる。
【００３９】
【発明の効果】
請求項１記載の浄油器フィルターは、ケース及び蓋をそれぞれ天然植物繊維により形成したので使用後に可燃物として処理することができ、ケースと蓋とを超音波振動により生じる接合部材の融着成分により接合するので接着剤で接着するもののように食品の取り扱い上での有害な成分が溶出することがなく容易に接合することができる。
【００４０】
請求項１記載の浄油器フィルターは、上記効果に加え、フィルターの天然植物繊維と化学繊維との混合比率を操作することにより油の通過性を悪くすることなく微細な不純物粒子を捕捉することができ、目の細かい天然植物繊維により活性炭層の粉末の漏洩を防止することができ、活性炭層の粉末の未洗浄化を図ることができる。
【００４１】
請求項１記載の浄油器フィルターは、上記効果に加え、フィルターが接合部材を兼ねるので、部品点数が削減され、価格の低減を図ることができる。
【００４２】
請求項２記載の浄油器フィルターは、請求項１記載の効果に加え、貯油槽等の付属品をフィルタの突出部分を利用して装着することができ、使い勝手を向上することができる。
【００４３】
請求項３記載の浄油器フィルターは、ケース及び蓋をそれぞれ天然植物繊維により形成したので使用後に可燃物として処理することができ、ケースと蓋とを超音波振動により生じる接合部材の融着成分により接合するので接着剤で接着するもののように食品の取り扱い上での有害な成分が溶出することがなく容易に接合することができる。更に、フィルターの天然植物繊維と化学繊維との混合比率を操作することにより油の通過性を悪くすることなく微細な不純物粒子を補足することができ、目の細かい天然植物繊維により活性炭層の粉末の漏洩を防止することができ、活性炭層の粉末の未洗浄化を図ることができる。
【００４４】
請求項３記載の浄油器フィルターは、上記効果に加え、フィルターのずれによる活性炭層の粉末の漏洩を防止することができる。
【図面の簡単な説明】
【図１】  本発明の参考例となる第１実施例の断面図である。
【図２】その斜視図である。
【図３】本発明の第２実施例の断面図である。
【図４】本発明の第３実施例の断面図である。
【図５】本発明の第４実施例の断面図である。
【図６】その貯油槽を保持した状態を示す断面図である。
【図７】本発明の第５実施例の断面図である。
【図８】一従来例を示すものであり、（ａ）は上面図、（ｂ）は断面図、（ｃ）は下面図である。
【符号の説明】
1  ケース
1a 第１の流通口
2  蓋
2a 第２の流通口
3  下フィルター
4  活性炭層
5  上フィルター
6  接合部材
【図１】
0003723997.tif 000002
【図２】
0003723997.tif 000003
【図３】
0003723997.tif 000004
【図４】
0003723997.tif 000005
【図５】
0003723997.tif 000006
【図６】
0003723997.tif 000007
【図７】
0003723997.tif 000008
【図８】
0003723997.tif 000009